(57)【要約】【課題】ストラップが付設された小物物品を包装袋に収納することなく陳列用台に付設されたフックに吊下げて陳列でき、フックに小物物品を吊下げたり取外したり、フックに吊下げてある奥の小物物品を取外したりすることで、ストラップ同士が絡まってしまうということがない、かつ部材としての製造コストが低減され、小物物品の取付けが容易である吊下げ手段としての吊下げ用台紙を得る。【解決手段】台紙の一方の端部にフック係止孔を、他方の端部にストラップ挿通孔を設ける。フック係止孔とストラップ挿通孔の間に、フック係止孔側が自由端となるようにフック係止孔側に突出した切込溝を形成してストラップ係止片を設ける。切込溝の両端に、ストラップ係止孔を設ける。【選択図】図１
2008007162.tif 000002
【特許請求の範囲】
【請求項１】
台紙の一方の端部にフック係止孔を他方の端部にストラップ挿通孔を設け、フック係止孔とストラップ挿通孔の間に、フック係止孔側が自由端となるようにフック係止孔側に突出した切込溝を形成してストラップ係止片を設けるとともに、切込溝の両端にストラップ係止孔を設けたことを特徴とする吊下げ用台紙。
【請求項２】
複数の表示片を重ね合わせ可能に折曲部を有して連接してなる吊下げ用台紙であって、折曲部を折曲げて各表示片を重ね合わせた状態の台紙の一方の端部にフック係止孔を他方の端部にストラップ挿通孔を台紙の表裏面に貫通させて設け、フック係止孔とストラップ挿通孔の間に、フック係止孔側が自由端となるようにフック係止孔側に突出した切込溝を台紙の表裏面に貫通させて形成したストラップ係止片を設けるとともに、切込溝の両端に台紙の表裏面に貫通させて形成したストラップ係止孔を設けたことを特徴とする吊下げ用台紙。
【発明の詳細な説明】
【技術分野】
【０００１】
本発明は、輪状のストラップが付設された小物物品を陳列用台等に吊下げて展示するための吊下げ用台紙に関する。
【背景技術】
【０００２】
従来、輪状のストラップが付設された小物物品を陳列用台等に付設されたフックに吊下げて陳列するには、例えば、小物物品をフック係止孔を設けた包装袋に収納し、その包装袋に設けたフック係止孔に前記フックを係止することで吊下げるか、または小物物品に付設されたストラップを直に前記フックに引っかけて吊下げるかしている。
【０００３】
包装袋自体のコストや包装袋に収納するためのコストが掛からない安価な吊下げ手段としては後者が好適であるが、このような吊下げ手段だと、前記フックにストラップが引っかている小物物品を購買客が手にとって見る際に、フックからストラップを取外したり、ストラップをフックに引っかけ直したり、奥に引っかけてあるものを取外そうとしたりして、ストラップ同士が絡まってしまうという問題がある。
【０００４】
ところで、小物物品を包装袋に収納して陳列する際には、小物物品を直に包装袋に収納するのではなく、展示包装用台紙等に小物物品を取付けて、その状態で包装袋に収納することは知られており、前記展示包装用台紙として、「切抜線を介して台紙本体に形成した小物物品を吊下げるためのフック片と、陳列用台等に付設されたフックに吊下げるための掛け孔が形成された展示包装用台紙」が、特開平１０−１１６０３５号公報により開示されている。
【０００５】
また、ストラップを直に陳列用台等に付設されたフックに引っかけて吊下げる小物物品においては、ストラップに商品名や販売社や価格が記載されたタグが付けられていることも知られている。
【０００６】
本発明者は、前記陳列用台紙とこのタグに着目し、安価な吊下げ手段を思いついた。ただ、前記展示包装用台紙は包装袋に収納されるもので、前記技術では小物物品が台紙から容易に取り外しできるようになっているため、前記台紙を陳列用台等に付設されたフックに単に吊下げるだけでは、台紙や小物物品が揺らされたりすることで小物物品が容易に台紙から抜け落ちてしまい満足できるものではない。
【特許文献１】特開平１０−１１６０３５号公報
【発明の開示】
【発明が解決しようとする課題】
【０００７】
本発明が解決する課題は、ストラップが付設された小物物品を包装袋に収納することなく陳列用台に付設されたフックに吊下げて陳列でき、フックに小物物品を吊下げたり取外したり、フックに吊下げてある奥の小物物品を取外したりすることで、ストラップ同士が絡まってしまうということがない、かつ部材としての製造コストが低減され、小物物品の取付けが容易な吊下げ手段を得ることにある。
【課題を解決するための手段】
【０００８】
本発明は、
「１．台紙の一方の端部にフック係止孔を他方の端部にストラップ挿通孔を設け、フック係止孔とストラップ挿通孔の間に、フック係止孔側が自由端となるようにフック係止孔側に突出した切込溝を形成してストラップ係止片を設けるとともに、切込溝の両端にストラップ係止孔を設けたことを特徴とする吊下げ用台紙。
２．複数の表示片を重ね合わせ可能に折曲部を有して連接してなる吊下げ用台紙であって、折曲部を折曲げて各表示片を重ね合わせた状態の台紙の一方の端部にフック係止孔を他方の端部にストラップ挿通孔を台紙の表裏面に貫通させて設け、フック係止孔とストラップ挿通孔の間に、フック係止孔側が自由端となるようにフック係止孔側に突出した切込溝を台紙の表裏面に貫通させて形成したストラップ係止片を設けるとともに、切込溝の両端に台紙の表裏面に貫通させて形成したストラップ係止孔を設けたことを特徴とする吊下げ用台紙。」
である。
【０００９】
本発明の吊下げ用台紙は、形状や大きさが限定されるものではない。また、前記フック係止孔は陳列用台等に付設されたフックに係止可能な大きさであれば良く、ストラップ挿通孔は小物物品に付設された輪状のストラップ等が通過可能な大きさであれば良く、ストラップの外径により適宜決定すれば良い。また、フック係止孔とストラップ挿通孔の間に、前記ストラップを引っかけるためのストラップ係止片を設けるが、係止片の形状や大きさも特に限定されず、ストラップ係止片に引っかけるストラップの線径等により適宜設定すれば良い。ストラップ係止片を形成するための切込溝の形状も、フック係止孔側を自由端として台紙の表面及び裏面側に傾動可能となる形状であれば良く、フック係止孔側に突出した逆Ｕ字型やＶ字型の形状あるいは円弧状等適宜決定すれば良い。
【発明の効果】
【００１０】
本発明の吊下げ用台紙は、小物物品に付設されたストラップをストラップ係止片に引っかけることで小物物品を取付けることができ、フック係止孔に陳列用台のフックを係止することで、陳列用台に吊下げることができる。フックに台紙を吊下げたり取外したり、フックに吊下げてある奥の台紙を取外したしても、ストラップ同士が絡まってしまうということがない。また、前述したような構造なので、ストラップをストラップ係止片に引っかけた際にストラップがストラップ係止孔に係止するので、ストラップ係止片が台紙の表面及び裏面側に傾動することがなく、ストラップがストラップ係止片から外れ難い。部材としても台紙だけなので製造コストも安価であり、台紙に小物物品を容易に着脱自在に取付けることができる構造なので、取付け工程費用を低減することができ、安価な小物物品にも採用することができる。また、小物物品に取付けた台紙が破損しても、他の台紙に容易に取り換えることができるので、台紙の破損による小物物品の不良とならないという利点がある。
【００１１】
台紙が、同一形状の複数の表示片を重ね合わせられるように折曲部を有して連接してなる場合においては、台紙への記入面積が増える等の利点があり、また、前述したような構造なので、小物物品を台紙に取付けた際には、台紙の各表示片が拡がってしまうという不具合もがない。
【発明を実施するための最良の形態】
【００１２】
本発明の吊下げ用台紙の実施の形態を図面を用いて説明する。同じ箇所を示す場合は同じ符号を付してある。
図１に示す吊下げ用台紙１は、長丸形状をしており、図において上側の一方の端部２には、陳列用台等（図示せず）に付設されたフックに係止可能な円形状のフック係止孔３を設けてある。図において下側の他方の端部４には、小物物品Ａに付設された輪状のストラップＢ（図３を参照）が通過可能な円形状のストラップ挿通孔５を設けてある。前記フック係止孔３とストラップ挿通孔５の間の位置には、フック係止孔３側が自由端となるようにフック係止孔３側に突出した円弧状の切込溝６を形成してある。該切込溝６のストラップ挿通孔５側に位置する両端には、前記ストラップ挿通孔５と略同径のストラップ係止孔７を形成して、前記切込溝６からなるストラップ係止片８を設けてある。該ストラップ係止片８は、台紙の表面１Ａ及び裏面１Ｂ側に傾動可能としてある。
【００１３】
台紙１の表裏面９Ａ、９Ｂには、小物物品に関する情報を表記でき、図示していないが、例えば表面に商品名等を表記し、裏面に販売元や製造元等の会社名や価格等を表記することができる。
【００１４】
図２に示す実施の形態の吊下げ用台紙１０は、同一形状の２つの長丸形状の表示片１１Ａ、１１Ｂで構成され、長手方向の側面の一部を連接してその部分を折曲部１２としてある。折曲部１２にて折曲げて重ね合わすと、図１に示す実施の形態の台紙１と同形状となる。重ね合わせた状態の台紙１０には、図１に示す実施の形態の台紙１と同様に、図において上側の一方の端部１３には陳列用台等（図示せず）に付設されたフックに係止可能なフック係止孔１４を、台紙１０の表裏面１０Ａ、１０Ｂに貫通して設けてあり、台紙１０を開いた状態では、図２に示すように、表示片１１Ａ、１１Ｂにフック係止孔１４、１４をそれぞれに設けたことになる。
【００１５】
重ね合わせた状態における台紙１０の図において下側の一方の端部１５には、図１に示す実施の形態の台紙１と同様に、小物物品Ａに付設された輪状のストラップＢが通過可能な円形状のストラップ挿通孔１６を、台紙１０の表裏面１０Ａ、１０Ｂに貫通して設けてある。また、前記フック係止孔１４とストラップ挿通孔１６の間には、フック係止孔１４側が自由端となるようにフック係止孔１４側に突出した円弧状の切込溝１７を台紙１０の表裏面１０Ａ、１０Ｂに貫通して形成してあり、該切込溝１７のストラップ挿通孔１６側に位置する両端には、前記ストラップ挿通孔１６と略同径のストラップ係止孔１８を台紙１０の表裏面１０Ａ、１０Ｂに貫通して形成して、前記切込溝１７からなるストラップ係止片１９を設けてある。台紙１０を開いた状態では、図２に示すように、各々の表示片１１Ａ、１１Ｂに、各々のストラップ挿通孔１６と、切込溝１７および係止孔７からなる係止片１９を設けてある。
【００１６】
台紙１０には、前記実施の形態の台紙１と同様に小物物品に関する情報を表記でき、図示していないが、例えば、一方の表示片１１Ａの重ね合わせた際に表に現れる表面１０Ａには商品名等を表記し、他方の表示片１１Ｂの重ね合わせた際に裏に現れる裏面１０Ｂには販売元や製造元等の会社名を表記し、重ね合わさる一方および他方の面には、取付ける小物物品などの使用説明や、注意事項等を表記することができる。
【００１７】
次に、使用方法について図２および図３を用いて説明する。先ず、二点差線で示した小物物品Ａに付設された輪状のストラップＢを台紙１，１０に設けたストラップ挿通孔７、１８に、台紙１、１０の表面１Ａ，１０Ａ側から通す。次に、台紙１，１０に設けた係止片８、１９を裏面１Ｂ、１０Ｂ側に傾けてストラップＢを係止片８、１９に引っかけ、若干ストラップＢをストラップ挿通孔７、１８側に引き、各々の係止孔７、１８にストラップＢを係止する。その状態で、陳列用台等に付設されたフック（図示せず）に、台紙１、１０に設けたフック係止孔３、１４を係止して吊下げる。
【産業上の利用可能性】
【００１８】
本発明の吊下げ用台紙は、ストラップが付いた小物物品であれば商品の種類や形状に関係なく用いることができその使用範囲は広く、吊下げ用台紙としてのみならず、値段や広告を表示することでタグとしての機能をもたせることができる。
【図面の簡単な説明】
【００１９】
【図１】本発明の実施の形態を示す吊下げ用台紙の正面図である。
【図２】２枚の表示片で構成された実施の形態を示す吊下げ用台紙で、２枚の表示片を開いた状態を示す台紙の正面図である。
【図３】本実施の形態の吊下げ用台紙の使用状態を示す正面図である。
【図４】本実施の形態の吊下げ用台紙の使用状態を示す背面図である。
【符号の説明】
【００２０】
１、１０  台紙
３、１４  フック係止孔
５、１６  ストラップ挿通孔
６、１７  切込溝
７、１８  係止孔
８、１９  係止片
【図１】
2008007162.tif 000003
【図２】
2008007162.tif 000004
【図３】
2008007162.tif 000005
【図４】
2008007162.tif 000006